(57)【要約】【課題】ペットボトルのキャップ側を長くして持ち運びしやすくし、ペットボトルのキャップ側が長いため手のひら全体で握れるので、握力の弱い人にもキャップの開け閉めしやすくし、さらにペットボトル容器本体を持たないため、ペットボトル内の飲料が手のひらの体温で温められることがないペットボトルキャップ装着把持具を提供することにある。【解決手段】手で持ち運び容易な長さと握り太さを有し内部に空室２１を有する筒状本体２の一端側２ａに、装着時にキャップｂの外周側面に圧着する内周側面が形成されたキャップ装着穴３を形成し、ペットボトルの首部ｃに係止される係止片４を筒状本体２の一端側２ａの外周側面に可動自在に取り付けた。【選択図】        図１
0003128208.tif 000002
【実用新案登録請求の範囲】
【請求項１】
手で持ち運び容易な長さと握り太さを有する筒状本体の一端側に、ペットボトル容器本体のキャップに装着時に当該キャップの外周側面に圧着する内周側面が形成されたキャップ装着穴を形成したことを特徴とするペットボトルキャップ装着把持具。
【請求項２】
手で持ち運び容易な長さと握り太さを有し内部に空室を有する筒状本体の一端側に、ペットボトル容器本体のキャップに装着時に当該キャップの外周側面に圧着する内周側面が形成され且つ筒状本体の内部の空室と仕切られたキャップ装着穴を形成し、筒状本体の他端側に内部の空室の出入り口を開閉する開閉蓋を取り付けたことを特徴とするペットボトルキャップ装着把持具。
【請求項３】
手で持ち運び容易な長さと握り太さを有する筒状本体の一端側に、ペットボトル容器本体のキャップに装着時に当該キャップの外周側面に圧着する内周側面が形成されたキャップ装着穴を形成すると共に、ペットボトル容器本体の首部に係止されてキャップ装着穴からペットボトル容器本体のキャップが外れるのを阻止する係止片を上記筒状本体の一端側の外周側面にペットボトル容器本体の首部に向けて可動自在に取り付けたことを特徴とするペットボトルキャップ装着把持具。
【請求項４】
手で持ち運び容易な長さと握り太さを有し内部に空室を有する筒状本体の一端側に、ペットボトル容器本体のキャップに装着時に当該キャップの外周側面に圧着する内周側面が形成され且つ筒状本体の内部の空室と仕切られたキャップ装着穴を形成し、筒状本体の他端側に内部の空室の出入り口を開閉する開閉蓋を取り付けると共に、ペットボトル容器本体の首部に係止されてキャップ装着穴からペットボトル容器本体のキャップが外れるのを阻止する係止片を上記筒状本体の一端側の外周側面にペットボトル容器本体の首部に向けて可動自在に取り付けたことを特徴とするペットボトルキャップ装着把持具。
【請求項５】
係止片は、ペットボトル容器本体の首部に係止される係止片の先端側が該首部の形状に係合する円弧状に形成され、その基端側が筒状本体の一端側の外周側面に枢支されている請求項３又は請求項４に記載のペットボトルキャップ装着把持具。
【請求項６】
キャップ装着穴の内周側面には、回転させて開閉されるペットボトル容器本体のキャップとの回転方向の摩擦抵抗を高める小突起が円周方向に複数形成されている請求項１〜請求項４の何れかに記載のペットボトルキャップ装着把持具。
【請求項７】
筒状本体には蛍光体が取り付けられている請求項１〜請求項４の何れかに記載のペットボトルキャップ装着把持具。
【考案の詳細な説明】
【技術分野】
【０００１】
この考案は、ペットボトル容器本体のキャップに装着されて使用され、キャップの開け閉めを容易にし、またペットボトル容器本体を直接手で掴む代わりにキャップ側を容易に手で掴んでキャップを通じてペットボトル容器本体を間接的に持てるようにしたペットボトルキャップ装着把持具に関するものである。
【背景技術】
【０００２】
ペットボトルには内部の飲料水を飲むための開閉用のキャップが取り付けられており、キャップを一定方向に回して開ける構造になっている。特に最初の封を切らないキャップはペットボトル容器本体側にミシン目を通じて一体的に結合されており、キャップの下端に側周方向に形成されたミシン目を強く回すことにより切断して、キャップをペットボトル容器本体側から取り外す構造になっている。また、キャップはペットボトル容器本体に比べて小さい。
【特許文献１】特開２００６−１４３３２１
【特許文献２】特開２００１−７２１２０
【考案の開示】
【考案が解決しようとする課題】
【０００３】
しかしながら、従来のペットボトルのキャップは短いため、持ち運ぶ時はペットボトル容器本体を持たなければならず持ち運びに不便であり、また従来のペットボトルキャップは開け閉めするとき、キャップを親指と人差し指で摘まんで開け閉めしなければならないので、握力のない人には開け閉めしにくい。さらにペットボトル容器本体を手で握って持つので、特に夏場においては人の手のひらの体温で飲料が温められて生ぬるくなる。
【０００４】
この考案は、上記のような課題に鑑み、その課題を解決すべく創案されたものであって、その目的とするところは、ペットボトルのキャップ側を長くして持ち運びしやすくし、ペットボトルのキャップ側が長いため手のひら全体で握れるので、握力の弱い人にもキャップの開け閉めしやすくし、さらにペットボトル容器本体を持たないため、ペットボトル内の飲料が手のひらの体温で温められることがないペットボトルキャップ装着把持具を提供することにある。
【課題を解決するための手段】
【０００５】
以上の目的を達成するために、請求項１の考案は、手で持ち運び容易な長さと握り太さを有する筒状本体の一端側に、ペットボトル容器本体のキャップに装着時に当該キャップの外周側面に圧着する内周側面が形成されたキャップ装着穴を形成した手段よりなるものである。
【０００６】
また、請求項２の考案は、手で持ち運び容易な長さと握り太さを有し内部に空室を有する筒状本体の一端側に、ペットボトル容器本体のキャップに装着時に当該キャップの外周側面に圧着する内周側面が形成され且つ筒状本体の内部の空室と仕切られたキャップ装着穴を形成し、筒状本体の他端側に内部の空室の出入り口を開閉する開閉蓋を取り付けた手段よりなるものである。
【０００７】
また、請求項３の考案は、手で持ち運び容易な長さと握り太さを有する筒状本体の一端側に、ペットボトル容器本体のキャップに装着時に当該キャップの外周側面に圧着する内周側面が形成されたキャップ装着穴を形成すると共に、ペットボトル容器本体の首部に係止されてキャップ装着穴からペットボトル容器本体のキャップが外れるのを阻止する係止片を上記筒状本体の一端側の外周側面にペットボトル容器本体の首部に向けて可動自在に取り付けた手段よりなるものである。
【０００８】
また、請求項４の考案は、手で持ち運び容易な長さと握り太さを有し内部に空室を有する筒状本体の一端側に、ペットボトル容器本体のキャップに装着時に当該キャップの外周側面に圧着する内周側面が形成され且つ筒状本体の内部の空室と仕切られたキャップ装着穴を形成し、筒状本体の他端側に内部の空室の出入り口を開閉する開閉蓋を取り付けると共に、ペットボトル容器本体の首部に係止されてキャップ装着穴からペットボトル容器本体のキャップが外れるのを阻止する係止片を上記筒状本体の一端側の外周側面にペットボトル容器本体の首部に向けて可動自在に取り付けた手段よりなるものである。
【考案の効果】
【０００９】
以上の記載より明らかなように、請求項１〜請求項４の考案に係るペットボトルキャップ装着把持具によれば、この考案のペットボトルキャップ装着把持具は長いので、これをペットボトルのキャップに装着することによりキャップ側全体を握ることが出来、従来のペットボトルのキャップを握って持ち歩くより持ち歩きやすい。またこの考案のペットボトルキャップ装着把持具は従来のペットボトルキャップに比べ握る部分が長く、手のひら全体で握れるので、握力が弱い高齢者や障害者、幼児等が容易にペットボトルのキャップの開け閉めを行うことができる。さらにペットボトルのキャップ側を握るので、長時間ペットボトル容器本体を持つ事が無く、特に夏場においてはペットボトル内の飲料が温もりにくい。このペットボトルキャップ装着把持具を装着したペットボトル全体は、ペットボトル容器本体とペットボトルキャップ装着把持具とのバランスがとれペットボトル全体がスマートに見え高級感を醸し出す。
【００１０】
また、請求項２の考案に係るペットボトルキャップ装着把持具によれば、前記の効果に加えて、ペットボトルキャップ装着把持具の内部の空室に例えば常備薬や栄養補助食品を入れて開閉蓋を被せ持ち歩き、必要に応じ水の入ったペットボトル容器本体のキャップに取り付けると、水と薬や栄養補助食品を一体的に持ち運びでき、旅行などの時に簡単に薬や栄養補助食品を飲むことが出来る。また、ペットボトルキャップ装着把持具の空室に例えばチーズ、栄養補助食品、干しぶどう、干し梅干等の非常食を入れて開閉蓋を被せ、ペットボトル容器本体のキャップに装着して山歩きの時に持ち歩けば、不時の遭難時にペットボトル飲料と空室の非常食を同時に食することが出来、一時的に飢えをしのぐことが出来る。さらにペットボトルキャップ装着把持具の空室にビーズなどの小玉を入れて開閉蓋を被せ持ち歩き、スポーツ大会などの応援時、空のペットボトル容器本体に、空室に入っているビーズなど小玉を入れると、鳴り物として利用でき競技場の雰囲気を盛り上げられる。家庭ではマラカスとして利用できる。さらにまた、空室にゴルフのティーを入れて開閉蓋を被せたペットボトルキャップ装着把持具をペットボトル容器本体のキャップに装着するとゴルフ場で水とティーを一緒に持ち運べる。
【００１１】
また、請求項３の考案に係るペットボトルキャップ装着把持具によれば前記請求項１の効果に加えて、また、請求項４の考案に係るペットボトルキャップ装着把持具によれば前記請求項１及び請求項２の効果に加えて、ペットボトルキャップ装着把持具に取り付けた係止片によって、ペットボトルの首部に係止されることにより、キャップ装着穴からペットボトルのキャップが外れるのを確実に阻止することができ、キャップと共に外れて飛んだペットボトル容器本体によって周囲の物や人を傷つけたりすることもない。
【００１２】
また、請求項５のように、ペットボトルの首部に係止される係止片の先端側が該首部の形状に係合する円弧状に形成されている場合には、係止片の先端側はペットボトルの首部に確実に係止されると共に丸みを帯びているので、係止片の先端側で物や人を傷つけたりすることもない。
【００１３】
また、請求項６のように、キャップ装着穴の内周側面に、回転させて開閉されるペットボトルのキャップとの回転方向の摩擦抵抗を高める小突起が円周方向に複数形成されている場合には、ペットボトルのキャップとキャップ装着穴との間で回転方向に対する滑りによってペットボトルキャップ装着把持具が空回りしてキャップの開け閉めができなくなるのを防ぐことができる。
【００１４】
また、請求項７のように、ペットボトルキャップ装着把持具の筒状本体に蛍光体が取り付けられている場合には、夜間の散歩、ウォーキング、ランニングなどの夜間の行動時には蛍光体が自動車のライトを受けて発光するので、運転者から容易に視認でき、交通事故から身を守ることが出来る。
【考案を実施するための最良の形態】
【００１５】
以下、図面に記載の考案を実施するための最良の形態に基づいて、この考案をより具体的に説明する。
ここで、図１はペットボトル容器本体のキャップに装着時のペットボトルキャップ装着把持具の側断面図、図２はペットボトルキャップ装着把持具の側断面図、図３はペットボトルキャップ装着把持具の底面図、図４はペットボトルキャップ装着把持具をペットボトル容器本体のキャップに装着時の側面図である。
【００１６】
図において、ペットボトルキャップ装着把持具１は、ペットボトル容器本体ａのキャップｂに装着して使用され、キャップｂの開け閉めを容易にし、またペットボトル容器本体ａを直接手で掴む代わりにキャップ側を容易に手で掴んでキャップｂを通じてペットボトル容器本体ａを間接的に持てるようにするもので、手で直接掴む筒状本体２、筒状本体２の一端側２ａに形成されたキャップ装着穴３、係止片４などから構成されている。
【００１７】
筒状本体２は、その外形は手で持ち運び容易な長さと握り太さを有している。例えば筒状本体２の長さは１０cm〜２０cm前後、筒状本体２の外径は３cm〜５cm前後あり、大人や子供も容易に手で掴める大きさになっている。また、筒状本体２の表面には必要に応じて、滑り止め材の例えばゴム製で被覆されていたり、表面が波形形状に形成されていたりして、手で掴んでも容易に滑らないようになっている。
【００１８】
筒状本体２はペットボトル容器本体ａに飲料水が入っている場合に、筒状本体２を手で掴んだときに簡単に折れ曲がったり変形したりしない程度の強度を有している。また、筒状本体２は透明体或いは不透明体で構成されていることもある。特に内部に空室２１を有する場合で空室２１に入れるものを他人に知られても問題ないようなときには透明体が利用される。筒状本体２が透明体で構成されている場合には、後述の開閉蓋２２を開けることなく内部の状況が外部から簡単に見える利点がある。
【００１９】
筒状本体２の内部は必要に応じて空室２１が形成されている。空室２１に例えば常備薬や栄養補助食品を入れたり、また、空室２１に例えばチーズ、栄養補助食品、干しぶどう、干し梅干等の非常食を入れたり、空室２１にビーズなどの小玉を入れたり、空室２１にゴルフのティーを入れたり、或いは空室２１に夏場に冷却剤を入れたりして使用される。このように、筒状本体２の空室２１内には使用用途に応じて種々の物が入れられる。
【００２０】
内部に空室２１を有する筒状本体２の他端側２ｂには、内部の空室２１の出入り口を開閉する開閉蓋２２が取り付けられていて、内部の空室２１に収納された各種の物が簡単に飛び出たり、内部の空室２１にゴミなどが入るのが防がれている。開閉蓋２２は透明体又は不透明で構成されている。空室２１の内部が他人に知られても問題ない場合には透明体が使用される。筒状本体２の内部に空室２１が形成されない場合には開閉蓋２２は不要で取り付けられない。
【００２１】
筒状本体２の一端側２ａにはペットボトル容器本体ａのキャップｂの外形形状に対応したキャップ装着穴３が形成されている。ペットボトル容器本体ａのキャップｂの外形形状は通常円筒形であり、このため、キャップ装着穴３も円筒形の穴形状から形成されている。キャップ装着穴３はペットボトル容器本体ａのキャップｂに装着される穴で、当該キャップｂの外周側面に圧着する内周側面が形成されている。
【００２２】
キャップ装着穴３の内周側面に凹凸がない場合には、キャップ装着穴３の内径はこれが装着されるキャップｂの外径と略同一で、装着したとき、キャップ装着穴３の内周側面は非常に僅かであるが外側に向けて拡がり、一方キャップｂの外周側面は圧縮されて非常に僅かであるが内側に向けて縮まることで、両者は圧着状態となり一体となって回転してペットボトル容器本体ａを開け閉めできる構造になっている。
【００２３】
また、キャップ装着穴３の内周側面に内側に向けて例えば波形状の凹凸面が形成されている場合には、内周側面の凸部分がペットボトル容器本体ａのキャップｂの外周側面に圧着する。つまり、装着したとき、キャップ装着穴３の内周側面の凸部分は非常に僅かであるが外側に向けて拡がり、一方キャップｂの外周側面のキャップ装着穴３の内周側面の凸部分が接触する部分は圧縮されて非常に僅かであるが内側に向けて縮まることで、両者は圧着状態となり一体となって回転してペットボトル容器本体ａを開け閉めできる構造になっている。
【００２４】
キャップ装着穴３の内周側面には、回転させて開閉されるペットボトル容器本体ａのキャップｂとの回転方向の摩擦抵抗を高める小突起３１が必要に応じて円周方向に複数形成されている。キャップ装着穴３の内周側面が凹凸面の場合には凸部の先端面に小突起３１は形成されている。各小突起３１がキャップの外周側面に圧着することでペットボトル容器本体ａのキャップｂとの回転方向の摩擦抵抗を高めて、キャップｂに装着したペットボトルキャップ装着把持具１が空回りするのを防ぐことができる。
【００２５】
また、筒状本体２の内部に空室２１が形成されている場合には、内部の空室２１とキャップ装着穴３とは仕切り３２によって仕切られている。この仕切り３２によって内部の空室２１内の物がキャップ装着穴３を通じて外部に溢れ出るのが防がれている。この仕切り３２には必要に応じて通気孔３２ａが形成される。
【００２６】
通気孔３２ａが形成されている場合には、キャップ装着穴３をペットボトル容器本体ａのキャップｂに装着時に、キャップ装着穴３に閉じこめられた空気はこの通気孔３２ａを通じてキャップ装着穴３の外部の空室２１に排出され、キャップ装着穴３に残留した空気が圧縮されてキャップｂの装着時の抵抗になるのを回避することができる。
【００２７】
ペットボトル容器本体ａのキャップｂより狭い首部ｃに係止されてキャップ装着穴３からペットボトル容器本体ａのキャップｂが外れるのを阻止する係止片４が、筒状本体２の一端側２ａの外周側面にペットボトル容器本体ａの首部ｃに向けて可動自在に取り付けられている。ペットボトル容器本体ａのキャップｂの下部側にはキャップｂの外径より狭い首部ｃが形成されており、また首部ｃの直上の側周面には側方に突出する環状鍔片ｄが全周方向に形成されていて、係止片４はこの側方に突出する環状鍔片ｄの下面に当接することで首部ｃに係止されて、キャップ装着穴３がキャップｂから外れるのを防ぐのである。
【００２８】
係止片４は筒状本体２の一端側２ａの外周側面の片側に１個取り付けられたり、その両側に２個取り付けられたり、或いは外周側面の周方向に複数個取り付けられたりする。この係止片４がペットボトル容器本体ａの首部ｃに係止されることにより、キャップ装着穴３からペットボトル容器本体ａのキャップｂが簡単に外れるのを確実に阻止することができる。
【００２９】
係止片４は、ペットボトル容器本体ａの首部ｃに係止される係止片４の先端側４１が該首部ｃの形状に係合する円弧状に形成されている。また、係止片４の基端側４２が筒状本体２の一端側２ａの外周側面に枢支されていて、この基端側４２を中心として係止片４の先端側４１はペットボトル容器本体ａの首部ｃに向けて可動してその直上の側方に突出する環状鍔片ｄの下面に当接することで首部ｃに係止されて、キャップ装着穴３からキャップｂが外れるのを阻止する。
【００３０】
筒状本体２には光を受けて発光する蛍光体５が必要に応じて取り付けられている。蛍光体５は筒状本体２の外周側の適宜箇所に取り付けられる。図面では蛍光体５は係止片４の基端側４２の近くに取り付けられている。夜間の行動時には蛍光体５が例えば自動車のライトを受けて発光するので、運転者から容易に視認でき、交通事故から身を守ることが出来る。
【００３１】
次に、上記考案を実施するための最良の形態の構成に基づくペットボトルキャップ装着把持具の使用方法について以下説明する。
ペットボトル容器本体ａのキャップｂにペットボトルキャップ装着把持具１を装着する場合には、その一端側２ａに形成されたキャップ装着穴３をキャップｂに向けて押し入れることにより、ペットボトル容器本体ａのキャップｂにペットボトルキャップ装着把持具１のキャップ装着穴３を簡単に装着することができる。
【００３２】
このとき、係止片４が取り付けられている場合には、装着の際に係止片４が邪魔にならないように外側に少し開き、装着後に外側に開いていた係止片４をペットボトル容器本体ａの首部ｃに向けて可動させてその首部ｃに係止させる。首部ｃに係止片４を係止させることにより、ペットボトル容器本体ａのキャップｂからペットボトルキャップ装着把持具１のキャップ装着穴３が外れるのを防ぐことができる。
【００３３】
キャップ装着穴３をキャップｂに装着すると、キャップ装着穴３の内周側面がキャップｂの外周側面に圧着して両者は一体化して、握り易いペットボトルキャップ装着把持具１を掴んでこれを回すと、キャップ装着穴３を通じて一体化したペットボトル容器本体ａのキャップｂを簡単に回して開け閉めを行うことができ、握力が弱い高齢者や障害者、幼児等でも簡単にペットボトル容器本体ａのキャップｂを開け閉め出来る。
【００３４】
また、ペットボトルキャップ装着把持具１は握り易く持ちやすいので、ペットボトルキャップ装着把持具１を掴むことにより、ペットボトル容器本体ａを掴むことなく持ち運ぶことができ、ペットボトル容器本体ａを直接掴むことによって手の体温でペットボトル容器本体ａ内の飲料水が温められるのを回避することができる。
【００３５】
筒状本体２の内部に空室２１が形成されている場合には、空室２１に例えば常備薬や栄養補助食品を入れて持ち歩き、必要に応じ水の入ったペットボトル容器本体ａのキャップｂに取り付けると、水と薬や栄養補助食品を一体的に持ち運びでき、旅行などの時に簡単に薬や栄養補助食品を飲むことが出来る。また、筒状本体２の空室２１に例えばチーズ、栄養補助食品、干しぶどう、干し梅干等の非常食を入れて山歩きの時に持ち歩けば、不時の遭難時にペットボトル飲料と空室２１の非常食を同時に食することが出来、一時的に飢えをしのぐことが出来る。或いは空室２１にビーズなどの小玉を入れて持ち歩き、スポーツ大会などの応援時、空のペットボトル容器本体ａに、空室２１に入っているビーズなど小玉を入れると、鳴り物として利用でき競技場の雰囲気を盛り上げられる。家庭ではマラカスとして利用できる。或いはまた、空室２１にゴルフのティーを入れるとゴルフ場で水とティーを一緒に持ち運べる。また、夏場に冷却剤を入れると、ペットボトル容器本体ａ内の飲料水が簡単に温まるのを防ぐことも可能となる。
【００３６】
なお、この考案は上記考案を実施するための最良の形態に限定されるものではなく、この考案の精神を逸脱しない範囲で種々の改変をなし得ることは勿論である。
【図面の簡単な説明】
【００３７】
【図１】この考案を実施するための最良の形態を示すペットボトル容器本体のキャップに装着時のペットボトルキャップ装着把持具の側断面図である。
【図２】この考案を実施するための最良の形態を示すペットボトルキャップ装着把持具の側断面図である。
【図３】この考案を実施するための最良の形態を示すペットボトルキャップ装着把持具の底面図である。
【図４】この考案を実施するための最良の形態を示すペットボトルキャップ装着把持具をペットボトル容器本体のキャップに装着時の側面図である。
【符号の説明】
【００３８】
１    ペットボトルキャップ装着把持具
２    筒状本体
２ａ  一端側
２ｂ  他端側
２１    空室
２２    開閉蓋
３    キャップ装着穴
３１    小突起
３２    仕切り
３２ａ  通気孔
４    係止片
４１    先端側
４２    基端側
５    蛍光体
ａ    ペットボトル容器本体
ｂ    キャップ
ｃ    首部
ｄ    環状鍔片
【図１】
0003128208.tif 000003
【図２】
0003128208.tif 000004
【図３】
0003128208.tif 000005
【図４】
0003128208.tif 000006